(57)【要約】【課題】放送番組の番組情報を表示した電子番組表に、未視聴の録画番組の番組情報を表示する受信装置等を提供する。【解決手段】放送番組及び放送番組に関する番組情報を受信する受信部と、前記放送番組を録画番組として録画する録画部と、前記番組情報に基づいて、前記放送番組の番組情報を格納する番組枠が配列された電子番組表を表示する制御を行う表示制御部と、前記録画番組のうち、未視聴の録画番組の番組情報を表示する番組枠を決定する番組枠決定部と、を備え、前記表示制御部は、前記番組枠決定部により決定された番組枠に、前記未視聴の録画番組の番組情報を表示する制御を行う。【選択図】図２
2019140467.tif 000002
【特許請求の範囲】
【請求項１】
放送番組及び放送番組に関する番組情報を受信する受信部と、
前記放送番組を録画番組として録画する録画部と、
前記番組情報に基づいて、前記放送番組の番組情報を格納する番組枠が配列された電子番組表を表示する制御を行う表示制御部と、
前記録画番組のうち、未視聴の録画番組の番組情報を表示する番組枠を決定する番組枠決定部と、
を備え、
前記表示制御部は、
前記番組枠決定部により決定された番組枠に、前記未視聴の録画番組の番組情報を表示する制御を行うことを特徴とする受信装置。
【請求項２】
前記番組枠決定部は、未視聴の録画番組と関連する放送番組の前の時間帯の番組枠を表示する番組枠として決定することを特徴とする請求項１に記載の受信装置。
【請求項３】
前記番組情報には、番組名が含まれており、
前記番組枠決定部は、前記放送番組のうち、前記未視聴の録画番組の番組名が一部又は全部含まれている放送番組を、関連する放送番組として特定することを特徴とする請求項２に記載の受信装置。
【請求項４】
前記表示制御部は、前記番組枠決定部により決定された番組枠に、前記未視聴の録画番組の番組情報と、放送番組の番組情報とを併せて表示する制御を行うことを特徴とする請求項１から３の何れか一項に記載の受信装置。
【請求項５】
前記放送番組の優先度を設定する優先度設定部を更に有し、
前記番組枠決定部は、前記優先度の低い放送番組の番組枠に、前記未視聴の録画番組の番組情報を表示する制御を行うことを特徴とする請求項１から４の何れか一項に記載の受信装置。
【請求項６】
前記番組枠決定部は、前記優先度の低い放送番組の放送時間と、略同一の放送時間の未視聴の録画番組の番組情報を表示する制御を行うことを特徴とする請求項５に記載の受信装置。
【請求項７】
前記優先度設定部は、優先度として放送番組が放送される時間帯を設定可能であり、
前記番組枠決定部は、優先度の低い時間帯に含まれる番組枠に、前記未視聴の録画番組の番組情報を表示する制御を行うことを特徴とする請求項５に記載の受信装置。
【請求項８】
コンピュータに、
放送番組及び放送番組に関する番組情報を受信する受信機能と、
前記放送番組を録画番組として録画する録画機能と、
前記番組情報に基づいて、前記放送番組の番組情報を格納する番組枠が配列された電子番組表を表示する制御を行う表示制御機能と、
前記録画番組のうち、未視聴の録画番組の番組情報を表示する番組枠を決定する番組枠決定機能と、
を実現させ、
前記表示制御機能は、
前記番組枠決定機能により決定された番組枠に、前記未視聴の録画番組の番組情報を表示する制御を行うことを特徴とするプログラム。
【発明の詳細な説明】
【技術分野】
【０００１】
本発明は受信装置等に関する。
【背景技術】
【０００２】
従来から、デジタル放送を受信する装置を使用して、電子番組表を表示させることで放送番組を確認したり、電子番組表から簡易な操作により録画予約を行ったりすることが可能となっている。
【０００３】
放送される番組や、録画された番組を簡易的に表示するための技術も提案されている。例えば、ユーザの好むジャンルや、キーワードに応じて、プライベート番組表を作成するシステムが提案されている（例えば、特許文献１参照）。
【０００４】
また、録画予約済み番組及び録画済み番組を一覧表示させた場合に、視認性を向上させることが可能な電子機器が提案されている（例えば、特許文献２参照）。
【先行技術文献】
【特許文献】
【０００５】
【特許文献１】特許第３９５２４３５号公報
【特許文献２】特開２０１５−１５４４０４号公報
【発明の概要】
【発明が解決しようとする課題】
【０００６】
しかしながら、特許文献１及び特許文献２は、放送される番組（放送番組）と、録画された番組（録画番組）とを連携させるものではない。そのため、放送番組に関連している録画番組を視聴することをユーザに促すことができない。
【０００７】
さらに、近年の記憶媒体の大容量化に伴い、多くの録画番組を記憶（録画）させることが可能となっている。ここで、簡易な操作により録画が可能であるために、録画番組を記憶し続ける一方で、録画番組を視聴しないままにする場合がある。その結果、記憶可能な領域が少なくなったときに、録画番組をまとめて視聴するといったような、効率の悪い視聴がされることがある。
【０００８】
上記事情に鑑み、本発明は、放送番組の番組情報を表示した電子番組表に、未視聴の録画番組の番組情報を表示する受信装置等を提供することを目的とする。
【課題を解決するための手段】
【０００９】
上述した課題を解決するために、本発明の受信装置は、
放送番組及び放送番組に関する番組情報を受信する受信部と、
前記放送番組を録画番組として録画する録画部と、
前記番組情報に基づいて、前記放送番組の番組情報を格納する番組枠が配列された電子番組表を表示する制御を行う表示制御部と、
前記録画番組のうち、未視聴の録画番組の番組情報を表示する番組枠を決定する番組枠決定部と、
を備え、
前記表示制御部は、
前記番組枠決定部により決定された番組枠に、前記未視聴の録画番組の番組情報を表示する制御を行うことを特徴とする。
【００１０】
本発明のプログラムは、
コンピュータに、
放送番組及び放送番組に関する番組情報を受信する受信機能と、
前記放送番組を録画番組として録画する録画機能と、
前記番組情報に基づいて、前記放送番組の番組情報を格納する番組枠が配列された電子番組表を表示する制御を行う表示制御機能と、
前記録画番組のうち、未視聴の録画番組の番組情報を表示する番組枠を決定する番組枠決定機能と、
を実現させ、
前記表示制御機能は、
前記番組枠決定機能により決定された番組枠に、前記未視聴の録画番組の番組情報を表示する制御を行うことを特徴とする。
【発明の効果】
【００１１】
本発明によれば、放送番組の番組情報を格納する番組枠が配列された電子番組表に対して、未視聴の録画番組の番組情報を表示する番組枠が決定され、決定された番組枠に未視聴の録画番組の番組情報が表示される。したがって、ユーザは、電子番組表を確認しながら、未視聴の録画番組を把握することができる。また、ユーザは、未視聴の録画番組の視聴が促されることにより、未視聴の録画番組を視聴することで、録画番組の効率的な視聴が可能となる。
【図面の簡単な説明】
【００１２】
【図１】第１実施形態における全体構成の全体構成を説明するための図である。
【図２】第１実施形態における受信装置の機能構成を説明するための図である。
【図３】第１実施形態におけるコンテンツ処理部の概略を説明するための図である。
【図４】第１実施形態における番組情報のデータ構成の一例を示した図である。
【図５】第１実施形態における管理テーブルのデータ構成の一例を示した図である。
【図６】第１実施形態における電子番組表表示処理を説明するための動作フローである。
【図７】第１実施形態における録画番組枠決定処理を説明するための動作フローである。
【図８】第１実施形態における動作例を説明するための図である。
【図９】第１実施形態における録画番組枠決定処理の別の処理方法を説明するための動作フローである。
【図１０】第２実施形態における記憶部を説明するための図である。
【図１１】第２実施形態におけるジャンル別優先度テーブルのデータ構成の一例を示した図である。
【図１２】第２実施形態における録画番組枠決定処理を説明するための動作フローである。
【図１３】第２実施形態における動作例を説明するための図である。
【図１４】第３実施形態における記憶部を説明するための図である。
【図１５】第３実施形態における時間帯優先度テーブルのデータ構成の一例を示した図である。
【図１６】第３実施形態における録画番組枠決定処理を説明するための動作フローである。
【図１７】第３実施形態における動作例を説明するための図である。
【発明を実施するための形態】
【００１３】
以下、本発明の実施の形態について、図面を参照して説明する。なお、本実施形態では、一例として、本発明の受信装置をレコーダやテレビジョン装置等といった、放送局から送信される番組が受信可能な受信装置に適用した場合について説明する。
【００１４】
［１．第１実施形態］
［１．１  全体構成］
図１を参照して、本発明の実施の形態に係るシステム全体について説明する。図１には、受信システム１が示されており、受信装置５は、放送局２０から放送波を受信し、コンテンツとして放送番組を受信する。放送波から受信する仕組みとしては有線であっても無線であってもよい。
【００１５】
ここで、受信装置５には、例えば録画等が可能な受信装置１０（例えば、レコーダ等）と、コンテンツとして、放送番組や、録画された録画番組、ネットワークから配信された配信番組（例えば、ＶＯＤ（Video On Demand）により配信された配信番組）が表示可能なテレビジョン装置１５が存在する。
【００１６】
なお、説明の都合上、以下、受信装置１０を例に説明するが、何れかの装置だけであってもよいし、両装置において実現してもよい。
【００１７】
［１．２  機能構成］
つづいて、受信装置１０の機能構成について、図２及び図３を用いて説明する。図２に示すように、受信装置１０は、制御部１００と、チューナ部１１０と、コンテンツ処理部１２０と、通信部１３０と、記憶部１４０と、映像出力部１５０と、音声出力部１６０と、操作部１７０とを備えて構成されている。なお、チューナ部１１０及び／又は通信部１３０は、受信部として機能する。
【００１８】
制御部１００は、受信装置１０の全体を制御するための機能部である。制御部１００は、記憶部１４０に記憶されている各種プログラムを読み出して実行することにより各種機能を実現しており、例えば１又は複数のＣＰＵ（Central Processing Unit）等により構成されている。
【００１９】
また、制御部１００は、ソフトウェアを実行することにより、電子番組表生成部１０２、電子番組表表示制御部１０４、録画予約部１０６として機能する。
【００２０】
電子番組表生成部１０２は、受信された放送波から取得された番組情報に基づいて、電子番組表を生成する。電子番組表を生成する方法については、何れか公知の方法を利用すればよいが、例えば、放送信号から復調されたＴＳ（Transport Stream）に含まれるＳＩ（Service Information／番組配列情報）から、ＥＩＴ（Event Information Table）を参照し、番組に関する情報として、番組情報を取得する。
【００２１】
ここで、番組配列情報（ＳＩ）は、放送局毎の番組配列情報を利用してもよいし、全ての放送局が含まれる番組配列情報を利用してもよい。
【００２２】
また、ＥＩＴには、例えば番組の名称、放送日時、内容の説明、シリーズ情報といった番組に関する情報（番組情報）が含まれる。
【００２３】
ここで、連続ドラマ等のシリーズものについては、同一のシリーズに含まれる番組の名称（番組名）として一部又は全部が同一の名称となる。また、これらのシリーズものは、ＥＭＴのシリーズ情報（シリーズ記述子）に情報を記憶してもよいし、回数の名称を含めた番組名としたり、番組の内容の説明に回数を含めたりしてもよい。このように、連続ドラマやシリーズものの番組については、本実施形態では関連する番組という。
【００２４】
また、電子番組表生成部１０２は、通信部１３０からネットワークＮＷを介して他の装置から電子番組表を取得してもよい。
【００２５】
そして、電子番組表生成部１０２により生成された電子番組表は、記憶部１４０の電子番組表記憶領域１４２に記憶される。
【００２６】
ここで、電子番組表は、コンテンツである各番組（放送番組）の番組情報を、一方の軸を時間軸とし、他方の軸をチャンネルとした番組枠に配列するものである。
【００２７】
電子番組表表示制御部１０４は、電子番組表生成部１０２により生成された電子番組表を映像出力部１５０を介して表示装置（例えば、図１のテレビジョン装置１５）に表示する。
【００２８】
録画予約部１０６は、ユーザからの操作指示等により、放送番組の録画の予約を行う。例えば、表示された電子番組表から、放送番組を選択することにより、録画予約を行うことができる。録画予約された放送番組は、所定の時刻（録画開始時刻）になると、録画制御部１２０４（録画部）により録画番組として記憶部１４０（録画番組記憶領域１４４２）に記憶される。
【００２９】
チューナ部１１０は、ユーザが所望するチャネルの周波数から、放送信号を受信するための機能部である。チューナ部１１０は、外部アンテナから受信された放送信号や、有線接続により有線放送局より送信された放送信号を受信し、コンテンツ処理部１２０に出力する。
【００３０】
コンテンツ処理部１２０は、チューナ部１１０で受信された放送信号を、デコード処理し、各機能部に出力するための機能部である。コンテンツ処理部１２０の概略を図３に示す。図３に示すように、コンテンツ処理部１２０は、再生制御部１２０２と、録画制御部１２０４と、ＴＳＤＥＭＵＸ部１２０６と、映像デコード部１２０８と、音声デコード部１２１０とを含んで構成されている。
【００３１】
チューナ部１１０により受信された放送信号は、ＴＳＤＥＭＵＸ部１２０６において各ＴＳに分離され、各機能部に出力される。例えば、映像ＴＳは映像デコード部１２０８に、音声ＴＳは音声デコード部１２１０に、他の情報として、例えば番組配列情報（番組情報）は制御部１００にそれぞれ出力される。
【００３２】
そして、映像デコード部１２０８は、映像ＴＳから映像データを復号し、映像出力部１５０や、記憶部１４０に出力する。また、音声デコード部１２１０は、音声ＴＳから音声データを復号し、音声出力部１６０や、記憶部１４０に出力する。
【００３３】
また、各映像データや音声データは、再生制御部１２０２により制御されて映像出力部１５０に出力される。また、録画をする場合には、録画制御部１２０４により、制御され、映像データ、音声データが記憶部１４０に記憶される。
【００３４】
番組配列情報は、受信された放送局を含む放送番組の番組に関する情報が含まれている。上述したように、ＴＳに多重化されたＳＩに含まれる
【００３５】
通信部１３０は、ネットワークＮＷに接続し、他の装置と通信を行う。例えば、有線／無線ＬＡＮを利用したり、３Ｇ／ＬＴＥ／５Ｇといった携帯電話網を利用したりして通信を行う。
【００３６】
記憶部１４０は、受信装置１０の動作に必要な各種プログラムや、各種データが記憶されている機能部である。記憶部１４０は、例えば、半導体メモリであるＳＳＤ（Solid State Drive）や、ＨＤＤ（Hard Disk Drive）等により構成されている。また、プログラム以外にも、一時的な情報（例えば、受信した番組配列情報等）を受信してもよい。
【００３７】
また、記憶部１４０は、電子番組表が記憶される電子番組表記憶領域１４２と、録画されるコンテンツである録画番組が記憶される録画番組記憶領域１４４との領域が確保されている。
【００３８】
電子番組表記憶領域１４２は、電子番組表生成部１０２が生成した電子番組表示が記憶されている。電子番組表は、例えばＨＴＭＬや、ＸＭＬといった方法で記憶されてもよいし、画像データとして記憶されてもよい。
【００３９】
録画番組記憶領域１４４は、受信・取得されたコンテンツを記憶するための領域である。すなわち、録画制御部１２０４から出力された映像データ及び音声データが、１つのコンテンツとして、録画番組１４４２として記憶される。
【００４０】
録画番組１４４２は、例えば、ＭＰＥＧ２／ＭＰＥＧ４／ＡＶＣＨＤ等の種々のファイル形式の動画ファイルとして記憶される。また、録画番組１４４２を一意に識別するために、識別ＩＤである録画番組ＩＤが付与される。すなわち、録画番組ＩＤと、録画番組（動画ファイル）とが記憶されている。なお、録画番組ＩＤを利用せずに、ファイル名を識別ＩＤとして利用してもよい。
【００４１】
本実施形態では、動画ファイルが録画番組１４４２として記憶するときに、連番の録画番組ＩＤを付与する。例えば、動画ファイル「aaa.mpg」を録画番組１４４２として記憶するときに、録画番組ＩＤとして「１」を付与する。さらに、別の動画ファイル「bbb.mpg」を録画番組１４４２として記憶するときに、録画番組ＩＤとして「２」を付与する。このようにして、録画番組ＩＤにより動画ファイルを識別できるようにする。
【００４２】
番組情報１４４４は、録画番組１４４２に関する番組情報が記憶されている。具体的には、放送番組を録画するときに、当該放送番組の番組情報の全部又は一部が、録画番組の番組情報として記憶される。ここで、番組情報１４４４は、例えば録画番組１４４２の識別情報を記憶したり、ファイル名を記憶したりすることで、関連づけられている。
【００４３】
本実施形態における番組情報１４４４の一例を、図４を参照して説明する。図４に示すように、番組情報１４４４には、録画番組１４４２を識別するための録画番組ＩＤ（例えば、「１」）と、その放送番組が放送されていたチャンネル番号を示すためのｃｈ（例えば、「２」）と、その放送番組が放映されていた日時を示す放送日時（例えば、「１月１６日２２：００〜２３：００」）と、その放送番組の番組名（例えば、「ドラマＢ  第１話」）と、その放送番組の放送内容（例えば、「新しい恋愛ストーリー。出演者：Ｘ、Ｙ…」）と、その放送番組のジャンル（例えば、「ドラマ」）とが含まれる。
【００４４】
なお、上述した情報以外の情報が記憶されてもよい。例えば、映像情報（画角情報）、音声情報、字幕の有無、シリーズ記述子等が記憶されてもよい。
【００４５】
管理テーブル１４４６は、録画番組１４４２に関して管理する情報（以下、「管理情報」という）が記憶されているテーブルである。例えば、管理テーブル１４４６は、未視聴／視聴済であるかのフラグ、視聴位置、コピー回数、削除禁止フラグといった種々の情報が管理情報として記憶される。
【００４６】
本実施形態における管理テーブル１４４６の一例を、図５を参照して説明する。図５に示すように、管理テーブル１４４６には、録画番組１４４２を識別するための録画番組ＩＤ（例えば、「１」）と、未視聴フラグ（例えば、「Ｏｎ」）とが含まれる。
【００４７】
本実施形態では、未視聴フラグが「Ｏｎ」である場合は、その録画番組はユーザによって視聴されていないことを示し、未視聴フラグが「−」である場合は、その録画番組はユーザによって視聴されたことを示す。
【００４８】
未視聴フラグは、放送番組が録画番組１４４２として記憶されたときは「Ｏｎ」とする。また、録画番組１４４２がユーザによって視聴された場合には、その録画番組１４４２に対応する管理テーブルの情報について、未視聴フラグを「−」にする。視聴された場合として、
（１）一度でも録画番組が再生されたら視聴されたものとする
（２）所定の時間（例えば、録画時間の半分まで）再生されたら視聴されたものとする
（３）ユーザが視聴済みと指示したら視聴されたものとする
といった場合が考えられる。このうち、どの場合を視聴されたものとするかは、予め受信装置１０に設定されていてもよいし、ユーザによって選択されてもよい。また、（２）と（３）とを組み合わせてもよい。
【００４９】
また、管理テーブル１４４６の録画番組ＩＤによって、録画番組１４４２と、番組情報１４４４とが対応付けられている。
【００５０】
映像出力部１５０／音声出力部１６０は、各種情報・映像や、音声を接続された装置（表示装置、音出力装置）に出力する。例えば、ＨＤＭＩ（登録商標）、コンポジット、ディスプレイポートといった接続方法で接続されたテレビジョン装置１５に、映像や音声を出力する。表示装置としては、ＬＣＤや、有機ＥＬディスプレイ等の表示装置や、プロジェクタ等の投影装置が含まれる。また、有線／無線で接続されたスピーカやイヤホンに音が出力される。
【００５１】
操作部１７０は、ユーザからの操作入力を受け付ける。例えば、受信装置１０の本体に設けられたボタンであったり、無線で操作可能なリモコン装置であったりする。また、表示装置がタッチパネルである場合には、タッチ操作により操作入力を行ってもよい。
【００５２】
［１．３  処理の流れ］
つづいて、本実施形態の電子番組表表示処理について図を参照して説明する。電子番組表表示処理は、ユーザによって電子番組表を表示する操作がされたときに受信装置１０が行う処理である。
【００５３】
図６を参照して、はじめに、制御部１００は、電子番組表表示制御部１０４として機能することで、電子番組表を映像出力部１５０に出力する（ステップＳ１０２）。
【００５４】
つづいて、制御部１００は、管理テーブル１４４６に記憶されている管理情報を読み出す（ステップＳ１０４）。読み出した管理情報の未視聴フラグが「Ｏｎ」である場合は、制御部１００は、録画番組枠決定処理を実行する（ステップＳ１０６；Ｙｅｓ→ステップＳ１０８）。
【００５５】
録画番組枠決定処理は、ステップＳ１０２で表示した電子番組表から、録画番組の番組情報（以下、「録画番組情報」という）を表示するための番組枠（以下、「録画番組枠」という）を決定する処理である。録画番組枠決定処理について、図７を参照して説明する。
【００５６】
はじめに、制御部１００は、ステップＳ１０４で読み出した管理情報に対応する番組情報を番組情報１４４４から読み出すことで録画番組情報を取得し、録画番組の番組名を特定する（ステップＳ１２２）。
【００５７】
つづいて、制御部１００は、電子番組表記憶領域１４２に記憶されている電子番組表から、ステップＳ１２２で特定した録画番組の番組名を含む番組枠を検索する（ステップＳ１２４）。この処理により、録画番組情報に記憶された番組名の一部又は全部を含む放送番組の番組枠を、未視聴の録画番組に関連する放送番組の番組枠として見つけることができる。
【００５８】
ここで、録画番組の番組名と同じ放送番組の番組名が表示されている番組枠が検索される。検索する方法としては、録画番組と、放送番組との番組名が全部一致していてもよいし、一部一致しているものであってもよい。
【００５９】
また、番組名から必要な情報を抽出した上で処理をしてもよい。例えば、録画番組情報に記憶された番組名には、回数や話数を示す表記（以下、「回数表記」という）やサブタイトル等が含まれている場合がある。この場合は、回数表記やサブタイトルを取り除いたものを、録画番組の番組名としてもよい。
【００６０】
具体的には、回数表記として、「第ｎ話」「第ｎ回」「＃ｎ」「パートｎ」（ｎは数字）のような所定のパターンによって表現される文字列や、「最終回」「最終話」等の特定の回数を示す定型的な文字列が考えられる。また、サブタイトルは、隅付き括弧や大括弧、波ダッシュやスペース等の記号を用いて示されたり、「スペシャル」「ＳＰ」等の定型的な文字列が含められていたりすることが考えられる。このような、パターン、定型的な文字列、記号等を手がかりにして、回数表記やサブタイトルを取り除くことができる。このようにして、録画番組情報に記憶された番組名の一部又は全部を録画番組の番組名として特定する。
【００６１】
つづいて、制御部１００は、ステップＳ１２４の処理によって見つかった番組枠の前の時間帯の番組枠を録画番組枠として決定する（ステップＳ１２６）。
【００６２】
図６に戻り、制御部１００は、ステップＳ１０８において決定した録画番組枠に、ステップＳ１２２で読み出した録画番組情報を表示する（ステップＳ１１０）。表示方法として、本実施形態では、録画番組枠として決定した番組枠に、放送番組の番組情報と録画番組情報とを並べて表示するが、放送番組の番組情報を録画番組情報に置き換えてもよい。
【００６３】
つづいて制御部１００は、管理テーブル１４４６に記憶されている管理情報を全て読み込んだか否かを判定し、全て読み込んでいない場合はステップＳ１０４へ戻る（ステップＳ１１２；Ｎｏ→ステップＳ１０４）。管理テーブル１４４６に記憶されている管理情報を全て読み込んだ場合は、電子番組表表示処理を終了する（ステップＳ１１２）。
【００６４】
なお、ユーザによって表示されている電子番組表の範囲において、録画番組の番組名を含む番組枠が存在しない場合は、電子番組表に録画番組枠決定処理のステップＳ１２４において、条件に合致する番組枠が見つからないこととなる。その場合は、録画番組枠が決定できなかったとして録画番組枠決定処理を終了し、電子番組表表示処理のステップＳ１１０の処理をスキップする。
【００６５】
［１．４  動作例］
つづいて、図８を参照して、本実施形態の具体的な動作例を説明する。図８は電子番組表表示処理によって、録画番組情報を表示する処理をした後の電子番組表Ｔ１００の表示例である。
【００６６】
この動作例では、録画番組１４４２に番組名が「ドラマＢ１  第２話」である録画番組と、番組名が「バラエティＣ１」である録画番組とが記憶され、これらの録画番組に対応した番組情報と管理情報とが番組情報１４４４及び管理テーブル１４４６に記憶されていることとして説明する。
【００６７】
電子番組表Ｔ１００は、放送番組が、番組枠に配列し、表示されている。例えば、表示される番組枠として、番組枠Ｐ１００（番組名「ニュースＢ１」）と、番組枠Ｐ１０２（番組名「ドラマＢ１  第３話」）と、番組枠Ｐ１０４（番組名「ニュースＣ１」）と、番組枠Ｐ１０６（番組名「バラエティＣ１」）とが表示されている。
【００６８】
はじめに、「ドラマＢ１  第２話」の録画番組情報を電子番組表Ｔ１００に表示する動作について説明する。録画済の「ドラマＢ１  第２話」と、同じタイトルを含む放送番組として、「ドラマＢ１」が含まれる番組枠Ｐ１０２が検索される。
【００６９】
また、録画番組情報の番組名に回数表記（「第２話」）が含まれていることから、番組名から回数表記を取り除いた「ドラマＢ１」を録画番組の番組名として特定してもよい。この場合、電子番組表Ｔ１００に含まれている放送番組から番組名に「ドラマＢ１」を含む番組情報を表示している番組枠を検索する。この検索条件により、番組名が「ドラマＢ１  第３話」である番組枠Ｐ１０２が見つかる。番組枠Ｐ１０２の前の番組枠は番組枠Ｐ１００であるため、番組枠Ｐ１００を録画番組枠として決定する。
【００７０】
録画番組枠である番組枠Ｐ１００には、番組枠Ｐ１００に対応する放送番組の番組情報と、録画番組情報とを表示する。例えば、図８の番組枠Ｐ１００に示すように、放送番組の番組情報と並ぶように、録画番組情報Ｒ１００を表示する。
【００７１】
つづいて、「バラエティＣ１」の録画番組情報を表示する動作について説明する。「バラエティＣ１」には、番組名に回数表記やサブタイトルが含まれていない。この場合は、録画番組の番組名を「バラエティＣ１」として特定し、電子番組表Ｔ１００から番組名が「バラエティＣ１」である番組枠を検索する。この検索条件により、番組枠Ｐ１０６が見つかる。番組枠Ｐ１０６の前の番組枠は番組枠Ｐ１０４であるため、番組枠Ｐ１０４を録画番組枠として決定する。そして、録画番組枠である番組枠Ｐ１０４には、番組枠Ｐ１０４に対応する放送番組の番組情報と、録画番組情報とを表示する。例えば、図８の番組枠Ｐ１０４に示すように、放送番組の番組情報に並ぶように、録画番組情報Ｒ１０４を表示する。
【００７２】
なお、複数の未視聴の録画番組について、番組名として同一の番組名が特定される録画番組が録画番組１４４２に記憶される場合も考えられる。例えば、「ドラマＢ  第１話」と「ドラマＢ  第２話」とが未視聴の録画番組として録画番組１４４２に記憶されている場合は、いずれも、番組名として「ドラマＢ」が特定される。この場合は、以下に示す処理を行う。
【００７３】
（１）録画番組枠に最新の録画番組情報のみを表示する
録画番組情報の番組名や番組内容に含まれる回数表記や、放送日時に基づき、同一の番組名として特定される未視聴の録画番組の中で、最新の録画番組の録画番組情報のみを、録画番組枠に表示する。例えば、電子番組表表示処理のステップＳ１１０において、既に録画番組情報を表示している録画番組枠に対して別の録画番組情報を表示させるときに、その別の録画番組情報と既に表示している録画番組情報とを比較し、より新しい録画番組情報を表示すればよい。
【００７４】
例えば、「ドラマＢ  第１話」と「ドラマＢ  第２話」とが未視聴の録画番組として録画番組１４４２に記憶されている場合で、図８に示すように、既に録画番組枠Ｐ１００に「ドラマＢ  第２話」の録画番組情報が表示されているとする。このとき、未視聴の録画番組である「ドラマＢ  第１話」の録画番組情報を録画番組枠Ｐ１００に表示させる場合は、既に表示されている「ドラマＢ  第２話」の録画番組情報と比較する。ここで、回数表記に基づき比較すると「ドラマＢ  第１話」は「ドラマＢ  第２話」よりも古い録画番組である。したがって、録画番組枠Ｐ１００には、「ドラマＢ  第２話」の録画番組情報を表示する状態を維持する。
【００７５】
（２）表示する数と同じ数だけ録画番組枠を決定し、それぞれの録画番組枠に録画番組情報を表示する
録画番組枠決定処理において、同一の番組名として特定される未視聴の録画番組の数だけ録画番組枠を決定する。例えば、録画番組枠決定処理のステップＳ１２６において複数の録画番組枠を決定し、電子番組表表示処理のステップＳ１１０において、それぞれの録画枠に適切な録画番組情報を表示する。
【００７６】
例えば、「ドラマＢ  第１話」と「ドラマＢ  第２話」が未視聴の録画番組として録画番組１４４２に記憶されている場合は、同一の番組名として特定される未視聴の録画番組の数は２である。このとき、録画番組枠決定処理のステップＳ１２４において「ドラマＢ  第３話」の番組枠を見つけたら、ステップＳ１２６において、その前の時間帯の番組枠と、さらにその前の時間帯の番組枠との２つ番組枠を録画番組枠として決定する。また、電子番組表表示処理のステップＳ１１０においては、録画番組を古い順に表示させればよい。
【００７７】
図８を参照すると、「ドラマＢ  第３話」の番組枠Ｐ１０２の前の時間帯の番組枠であるＰ１００と、さらに前の時間帯の番組枠であるＰ１０８とを録画番組枠として決定する。そして、番組枠Ｐ１０８に「ドラマＢ  第１話」の録画番組情報を、番組枠Ｐ１００に「ドラマＢ  第２話」の録画番組情報をそれぞれ表示する。
【００７８】
［１．５  録画番組枠決定処理の別の処理方法］
上述した実施形態では、放送番組と録画番組とで同じシリーズの番組であるか否かの判定を番組名でおこなった。それに対して、例えば回数・話数が、番組情報に含まれているか否かで判定してもよい。この場合の録画番組枠決定処理を、図９に示す。
【００７９】
はじめに、制御部１００は、読み出した管理情報に対応する録画番組情報を番組情報１４４４から読み出し（ステップＳ１５２）、回数の設定があるか否かを判定する（ステップＳ１５４）。回数の設定がある場合とは、番組情報１４４４から読み出した番組情報の番組名（読み出した番組名）や番組内容に回数表現が含まれる場合や、シリーズ記述子に回数の情報が含まれる場合である。
【００８０】
回数の設定がある場合は、制御部１００は、録画番組情報から録画番組の番組名と回数とを特定する（ステップＳ１５６）。例えば、以下のように特定する。
（１）録画番組情報の番組名に回数表記が含まれる場合
読み出した番組名から回数表記を取り除いた文字列を録画番組の番組名とし、回数表記に含まれる数字を回数とする。
（２）録画番組情報の番組内容に回数表記が含まれる場合
読み出した番組名を録画番組の番組名とし、番組内容に含まれる回数表記の数字の部分を回数とする。
（３）録画番組情報にシリーズ記述子が記憶されている場合
シリーズ記述子に記憶されているシリーズ名を録画番組の番組名とし、シリーズ記述子に記憶されている回数をそのまま回数とする。
【００８１】
つづいて、制御部１００は、電子番組表記憶領域１４２に記憶されている電子番組表から、最新話の番組枠を検索する（ステップＳ１５８）。例えば、次の手順によって検索する。
（１）ステップＳ１５６で特定した録画番組の番組名が、番組名の一部若しくは全部に含まれ、又はシリーズ記述子のシリーズ名と一致する番組情報を電子番組表から抽出する
（２）抽出した番組情報について、回数表記又はシリーズ記述子に基づいて回数を特定する
（３）（２）で特定した回数について、回数が最大の番組情報を表示した番組枠を検索結果とする
【００８２】
検索した結果、番組枠が見つかった場合は、制御部１００は、その見つかった番組枠の番組情報に記憶されている回数が、ステップＳ１５４で特定した録画番組情報の回数と連続するか否かを判定する（ステップＳ１６０；Ｙｅｓ→ステップＳ１６２）。具体的には、番組情報から特定した回数が、ステップＳ１５４において録画番組情報から特定した回数に１を加えた値となっているか否かを判定する。
【００８３】
ステップＳ１６２の判定結果として肯定結果が得られた場合は、ステップＳ１５８で検索して見つかった番組枠の前の番組枠を、録画番組枠として決定して、録画番組枠決定処理を終了する（ステップＳ１６２；Ｙｅｓ→ステップＳ１６４）。
【００８４】
ステップＳ１６０の判定又はステップＳ１６２の判定の結果として否定結果が得られた場合は、録画番組枠が決定できなかったとして録画番組枠決定処理を終了する（ステップＳ１６０；Ｎｏ、ステップＳ１６２；Ｎｏ）。
【００８５】
一方で、ステップＳ１５４の判定結果として否定結果が得られた場合は、電子番組表に配列された番組情報から、管理情報に対応する録画番組の番組名と一致する番組枠を検索する（ステップＳ１５４；Ｎｏ→ステップＳ１６６）。
【００８６】
ステップＳ１６６における検索の条件に該当する番組枠が見つかった場合は、その見つかった番組枠の前の番組枠を録画番組枠として決定し、録画番組枠決定処理を終了する（ステップＳ１６８；Ｙｅｓ→ステップＳ１６４）。ステップＳ１６６における検索の条件に該当する番組枠が見つからなかった場合は、録画番組枠が決定できなかったとして録画番組枠決定処理を終了する（ステップＳ１６８；Ｎｏ）。
【００８７】
上述した録画番組枠決定処理によれば、最新回の番組枠の前の時間帯の番組枠に、前回の録画番組の番組情報を表示することとなる。
【００８８】
なお、本実施形態では、録画番組の番組名の一部又は全部を含む番組枠を検索することで、放送番組に関連する録画番組の録画番組情報を電子番組表に表示することとして説明したが、シリーズ名又は番組名以外の関連性に基づき録画番組枠を決定してもよい。例えば、番組情報の番組内容から出演者を抽出し、出演者が共通するといった関連性に基づき録画番組枠を決定してもよい。また、番組のジャンルが共通する、番組情報に所定のキーワードが含まれるといった関連性に基づき録画番組枠を決定してもよい。
【００８９】
さらに、番組のジャンルごとに、関連性の設定できてもよい。例えば、ドラマ番組であれば本実施形態の説明のように、番組名に基づいて録画番組枠を決定することで、回数を追いながらドラマを視聴することが可能である。また、音楽番組であれば出演者に基づいて録画番組枠を決定することで、特定の出演者（アーティスト）が出演する番組を順に視聴することができる。
【００９０】
このように、互いに関連する未視聴の録画番組と、放送番組とを連続して視聴することをユーザに促すことができる。
【００９１】
また、ユーザにとっては、未視聴の録画番組があることを容易に把握することが可能であり、効率良く未視聴の録画番組を視聴することが可能となる。このため、録画可能な容量が足りなくなったことに気づいてから未視聴の録画番組を視聴するといった事態を避けられ、利便性の向上に繋がる。
【００９２】
さらに、電子番組表に、放送番組と録画番組とを表示させることにより、ユーザに新たな視聴スタイルを提案することができる。例えば、放送番組が放送される前に、放送番組と関連する未視聴の録画番組の視聴を促すことで、放送番組の理解をより一層深める視聴を可能にする視聴方法を提案することができる。
【００９３】
［２．第２実施形態］
つづいて、第２実施形態について説明する。第２実施形態は、第１実施形態と異なり、視聴の優先度の低い番組枠から録画番組枠を決定する実施形態である。第２実施形態は、図２に示した受信装置１０の機能構成図について、記憶部１４０を図１０で示した記憶部１４０に置き換え、図７を図１２に置き換えたものである。第１実施形態と同一の機能部及び同一の処理については、同一の符号を付し説明を省略する。
【００９４】
［２．１  機能構成］
本実施形態は、第１実施形態の記憶部１４０にジャンル別優先度テーブル１４８を加えたものである。ジャンル別優先度テーブル１４８は、番組のジャンル毎に視聴の優先度が記憶されたテーブルである。ジャンル別優先度テーブル１４８の一例を、図１１を参照して説明する。図１０に示すように、ジャンル別優先度テーブル１４８には、番組のジャンル（例えば、「ニュース」）と、そのジャンルの優先度（例えば、「優先度高」）とが含まれる。
【００９５】
優先度とは、ユーザによって放送番組が視聴される度合いを示したものであり、優先度が高いほど、放送番組が視聴される可能性が高いことを示す。本実施形態では、ジャンル毎に「優先度高」又は「優先度低」の何れかの優先度を設定する。ジャンル別優先度テーブル１４８において、「優先度高」は、そのジャンルの番組が放送されているときに、ユーザはその放送番組を優先して視聴することを表す。また、「優先度低」は、そのジャンルの番組が放送されていても、ユーザはその放送番組を優先して視聴しないことを表す。ジャンル別優先度テーブル１４８は、ユーザによって設定されてもよいし、ユーザの放送番組の視聴状況等に基づいて、受信装置１０が設定してもよい。
【００９６】
［２．２  処理の流れ］
はじめに、制御部１００は、電子番組表記憶領域１４２に記憶されている電子番組表から、ジャンル別優先度テーブル１４８において「優先度低」と設定されたジャンルの番組枠を検索する（ステップＳ２５２）。検索においては、ジャンルの他に、現在時刻よりも後の放送番組に関する番組情報であって、録画番組情報のチャンネル番号と番組情報のチャンネル番号とが一致するといった条件を加えてもよい。
【００９７】
条件に合致する番組枠が見つかった場合は、制御部１００は、その見つかった番組枠の番組情報に記憶されている放送日時から放送時間を求める。また、制御部１００は、ステップＳ１０４で読み出した管理情報に対応する録画番組情報を番組情報１４４４から読み出し、録画番組の録画時間を求める。そして、制御部１００は、放送時間と録画番組の録画時間とが略同一（例えば、放送番組の放送時間と、録画番組の録画時間との差異が１０分以内）か否かを判定する（ステップＳ２５６）。
【００９８】
ステップＳ２５６において、肯定結果が得られた場合は、制御部１００は、検索した番組枠を録画番組枠として決定する（ステップＳ２５６；Ｙｅｓ→ステップＳ２５８）。ステップＳ２５６において、否定結果が得られた場合は、ステップＳ２５２に戻る（ステップＳ２５６；Ｎｏ→ステップＳ２５２）。
【００９９】
なお、ステップＳ２５４において、番組枠が見つからなかった場合は、制御部１００は、録画番組枠が決定できなかったとして録画番組枠決定処理を終了する（ステップＳ２５４；Ｎｏ）。番組枠が見つからなかった場合とは、「優先度低」と設定されたジャンルの番組情報が電子番組表に含まれない場合や、「優先度低」と設定されたジャンルの番組情報は含まれているが、録画時間と略同一の放送時間である番組情報が存在しなかった場合が考えられる。
【０１００】
［２．３  動作例］
つづいて、図１３を参照して、本実施形態の具体的な動作例を説明する。図１３は電子番組表表示処理によって、録画番組情報を表示する処理をした後の電子番組表Ｔ２００の表示例である。
【０１０１】
この動作例では、録画番組１４４２に番組名が「ドラマＢ１  第２話」である未視聴の録画番組が記憶され、ジャンル別優先度テーブル１４８にはジャンルが「バラエティ」について優先度が「優先度低」と記憶されていることとして説明する。なお、ジャンル別優先度テーブル１４８には、「バラエティ」以外のジャンルについては優先度が「優先度高」と記憶されていることとする。また、現在時刻を１８時００分とし、「ドラマＢ１  第２話」が放送されたチャンネル番号は「２」であることとする。
【０１０２】
電子番組表Ｔ２００には、チャンネル番号が「１」「２」「３」であるチャンネルについて、１８時台から２２時台までに放送される放送番組が、番組枠に配列し、表示されている。ここでは、ジャンルに符号を付けたものを番組名とする。
【０１０３】
未視聴の録画番組である「ドラマＢ１  第２話」の録画番組枠は、「優先度低」として記憶されたバラエティの番組の番組枠から決定する。このとき、現在時刻よりも後の番組であり、チャンネル番号が「２」であり、ジャンルが「バラエティ」であるという条件で電子番組表Ｔ２００を検索すると、番組枠Ｐ２００で示した「バラエティＢ１」が見つかる。したがって、番組枠Ｐ２００を録画番組枠として決定する。そして、図１３の番組枠Ｐ２００に示すように、放送番組の番組情報の横に、録画番組情報Ｒ２００を表示する。
【０１０４】
なお、未視聴の録画番組が複数ある場合は、「優先度低」と設定されたジャンルの番組の番組枠から、複数の録画番組枠を決定すればよい。また、決定した複数の録画番組枠に対して、放送日時や回数が古い順に又は新しい順に録画番組情報を表示してもよいし、ユーザによってよく見られるジャンルから優先的に録画番組情報を表示してもよい。
【０１０５】
また、１つの番組枠の放送時間に対して、複数の未視聴の録画番組の録画時間が収まる場合は、１つの番組枠に対して、２以上の録画番組枠を表示してもよい。例えば、電子番組表Ｔ２００には、２時間の番組の番組枠Ｐ２０２が含まれているが、この番組枠に対して、１時間の録画番組である「ドラマＣ１＃０２」の録画番組枠Ｒ２０２と、１時間の録画番組である「ドラマＣ１＃０３」の録画番組枠Ｒ２０４とを表示してもよい。
【０１０６】
また、優先度は、ジャンル毎ではなく、番組毎に記憶してもよいし、ジャンル毎と番組毎の優先度を組み合わせて記憶してもよい。例えば、ジャンルが「バラエティ」の優先度を「優先度低」にするが、特定のバラエティ番組に対しての優先度を「優先度高」にしてもよい。この場合は、電子番組表には、バラエティ番組の番組枠に未視聴の録画番組の録画番組枠を表示するが、特定のバラエティ番組に対しては録画番組枠を表示しないようにできる。
【０１０７】
本実施形態によれば、ユーザは、電子番組表を確認したときに、未視聴の録画番組があることを容易に確認することが可能である。また、ユーザがあまり視聴をしない番組の代わりに、未視聴の録画番組を視聴することが可能となり、効率的に未視聴の録画番組を視聴することができる。
【０１０８】
［３．第３実施形態］
つづいて、第３実施形態について説明する。第３実施形態は、第１実施形態と異なり、所定の時間帯の番組枠から録画番組枠を決定する実施形態である。第３実施形態は、図２に示した受信装置１０の機能構成図について、記憶部１４０を図１４で示した記憶部１４０に置き換え、図７を図１６に置き換えたものである。第１実施形態と同一の機能部及び同一の処理については、同一の符号を付し説明を省略する。
【０１０９】
［３．１  機能構成］
本実施形態は、第１実施形態の記憶部１４０に時間帯別優先度テーブル１４９を加えたものである。時間帯別優先度テーブル１４９は、時間帯毎に視聴の優先度が記憶されたテーブルである。時間帯別優先度テーブル１４９の一例を、図１５を参照して説明する。図１５に示すように、時間帯別優先度テーブル１４９には、時間帯（例えば、「１７：００〜１８：００」）と、その時間帯における視聴の優先度（例えば、「優先度高」）とが含まれる。
【０１１０】
本実施形態では、時間帯に対して「優先度高」「優先度低」の何れかの優先度を設定する。時間帯別優先度テーブル１４９において、「優先度高」は、その時間帯の放送番組がユーザによって視聴される可能性が高いことを表し、「優先度低」は、その時間帯の放送番組がユーザによって視聴される可能性が低いことを表す。時間帯別優先度テーブル１４９は、ユーザによって設定されてもよいし、受信装置１０の放送番組の視聴状況等に基づいて、受信装置１０が設定してもよい。
【０１１１】
［３．２  処理の流れ］
本実施形態における録画番組枠特定処理について、図１６を参照して説明する。はじめに、制御部１００は、電子番組表記憶領域１４２に記憶されている電子番組表から、時間帯別優先度テーブル１４９において「優先度低」と設定された時間帯に放送日時が含まれる番組枠を検索する（ステップＳ３５２）。検索においては、時間帯の他に、現在時刻よりも後の放送番組に関する番組情報であって、録画番組情報のチャンネル番号と番組情報のチャンネル番号とが一致するといった条件を加えてもよい。
【０１１２】
つづいて、制御部１００は、検索して得られた番組枠を録画番組枠として決定して（ステップＳ３５４）、録画番組枠特定処理を終了する。番組枠が見つからなかった場合は、制御部１００は、録画番組枠が決定できなかったとして録画番組枠決定処理を終了する。
【０１１３】
［３．３  動作例］
つづいて、図１７を参照して、本実施形態の具体的な動作例を説明する。図１７は電子番組表表示処理によって、録画番組情報を表示する処理をした後の電子番組表Ｔ３００の表示例である。
【０１１４】
この動作例では、録画番組１４４２に番組名が「ドラマＣ」である前日分の未視聴の録画番組が記憶され、時間帯別優先度テーブル１４９には時間帯が「１８：００〜１９：００」について優先度が「優先度低」と記憶されていることとして説明する。なお、時間帯別優先度テーブル１４９には、「１８：００〜１９：００」以外の時間帯については優先度が「優先度高」と記憶されていることとする。また、現在時刻を１８時００分とし、「ドラマＣ」が放送されたチャンネル番号は「２」であることとする。
【０１１５】
電子番組表Ｔ２００には、チャンネル番号が「１」「２」「３」であるチャンネルについて、１８時から２４時までに放送される番組の番組枠が表示されている。ここで、未視聴の録画番組である「ドラマＣ」の録画番組枠は、「優先度低」として記憶された１８：００〜１９：００に放送される放送番組の番組枠から決定する。
【０１１６】
このとき、現在時刻よりも後の番組であり、チャンネル番号が「２」であり、放送日時が「１８：００〜１９：００」に含まれるという条件で電子番組表Ｔ３００を検索する。この結果、１８：００〜１８：３０に放送される「アニメＢ１」と、１８：３０〜１９：００に放送される「アニメＢ２」との２つの番組枠が見つかる。
【０１１７】
複数の番組枠が見つかった場合に、どの番組枠に録画番組枠を表示させるかは、設定により決められてよい。例えば、図１７の例では、放送日時がより遅い番組枠である放送枠Ｐ３００に録画番組枠Ｒ３００を表示させることとしている。
【０１１８】
なお、曜日によって生活のパターンが異なる場合は、曜日別や、平日・休日別に時間帯毎の優先度を設定してもよい。また、放送番組毎に優先度を設定してもよい。
【０１１９】
本実施形態によれば、ユーザが放送番組を視聴する可能性が低い時間帯に録画番組情報を表示させることができる。したがって、録画番組があたかもその時間に放送しているかのように見せることが可能である。また、ユーザは、時間帯別の優先度を設定することにより、生活のスタイルに合わせて録画番組を視聴することができる。
【０１２０】
［４．第４実施形態］
第４実施形態は、録画番組枠の属性によって、録画番組情報の表示態様を変える実施形態である。
【０１２１】
例えば、録画番組枠の属性として、優先度を用いることができる。録画番組枠の放送番組の優先度が高い場合、すなわち、視聴する可能性が高い放送番組の番組枠に録画番組情報を表示する場合は、録画番組情報の面積を小さく表示することで、放送番組の番組情報を視認させやすくする。一方で、録画番組枠の放送番組の優先度が低い場合、すなわち、視聴する可能性が低い放送番組の番組枠に録画番組情報を表示する場合は、録画表示枠を大きく表示することで、録画番組情報を視認させやすくする。
【０１２２】
優先度を、番組のジャンルに基づいて決定する場合について説明する。この場合は、記憶部１４０には、第２実施形態で説明したジャンル別優先度テーブル１４８を記憶する。
【０１２３】
また、図６に示した電子番組表表示処理のステップＳ１１０において、録画番組枠として決定した番組枠の番組情報のジャンルについて、ジャンル別優先度テーブル１４８に記憶されている優先度を読み出す。優先度が「優先度低」であれば、録画番組枠として決定した番組枠の番組はユーザによって視聴される可能性が低いので、録画番組情報を表示する面積を大きめにする。優先度が「優先度高」であれば、録画番組枠として決定した番組枠の番組はユーザによって視聴される可能性が高いので、録画番組情報を表示する面積を小さめにする。
【０１２４】
なお、優先度は、番組毎に設定されてもよいし、時間帯毎に設定されてもよい。この場合であっても、記憶部１４０に優先度を記憶させたテーブルを記憶させ、そのテーブルに記憶された優先度に基づいて、電子番組表表示処理のステップＳ１１０において録画番組情報を表示する面積を決定して、録画番組情報を表示すればよい。
【０１２５】
また、放送枠の属性として、ジャンルを用いてもよい。例えば、録画された番組のジャンルは、ユーザが興味を持っているジャンルであると考えられるので、録画番組枠の放送番組と録画番組とのジャンルが一致する場合は、録画番組よりも放送番組を視聴することが考えられる。したがって、録画番組枠の放送番組の番組情報に含まれるジャンルと、録画番組情報に含まれるジャンルとが一致した場合は、録画番組情報を表示する面積を小さくする。一方でジャンルが異なる場合は、録画番組情報を表示する面積を大きく表示する。
【０１２６】
なお、表示態様として録画番組情報を表示する面積を変更することとして説明したが、番組名の文字サイズを変えたり、録画番組情報の文字色を変えたり、録画番組情報を表示する領域の背景色を変える等の表示を行ってもよい。
【０１２７】
本実施形態によれば、ユーザによって録画番組が見られる度合いを考慮して、電子番組表に録画番組情報を表示することが可能である。このようにすることで、放送番組を視聴する可能性が高い場合には、録画番組情報を目立たないように表示させることができ、電子番組表の確認の邪魔にならない。一方で、放送番組を視聴する可能性が低い場合には、録画番組情報を目立たせることで、録画番組の視聴を促すことが可能となる。
【０１２８】
［５．第５実施形態］
第５実施形態は、録画番組の番組名を含む番組枠の前の時間帯の番組枠を録画番組枠とするのではなく、録画番組の番組名を含む番組枠を録画番組枠とする実施形態である。
【０１２９】
例えば、未視聴の録画番組として、連続ドラマが録画番組１４４２として記憶されている場合、電子番組表を表示するときに、その連続ドラマの番組枠に、未視聴の連続ドラマの録画番組情報を表示する。
【０１３０】
本実施形態においては、図７に示した録画番組枠決定処理のステップＳ１２６において、検索した番組枠を録画番組枠として決定する。
【０１３１】
このようにすることで、例えば、ユーザによる連続ドラマの録画予約時に、前話分を視聴していないことに気づかせ、視聴させることが可能となる。
【０１３２】
［６．第６実施形態］
第６実施形態は、優先度の高い放送番組の番組枠には、録画番組情報を表示しない実施形態である。
【０１３３】
本実施形態では、記憶部１４０に、第３実施形態で説明した時間帯別優先度テーブル１４９を記憶する。優先度は、ユーザによって設定されてもよいし、受信装置１０の使用状況に基づいて、受信装置１０が決定してもよい。
【０１３４】
本実施形態では、図６に示した電子番組表表示処理において、録画番組枠決定処理（ステップＳ１０８）を実行した後、決定した録画番組枠が、時間帯別優先度テーブル１４９で「優先度高」と設定された時間帯とが重なっていないかを判定する。
【０１３５】
この判定により、録画番組枠が「優先度高」と設定された時間帯とが重なっている場合は、例えば、次の処理を行うことで、「優先度高」と設定された時間帯の番組枠とは異なる時間帯に、録画番組情報を表示する。
（１）前回決定した録画番組枠を検索範囲から除外する設定をした上で、再度録画番組枠決定処理（ステップＳ１０８）を実行し別の録画番組枠を決定する
（２）ステップＳ１１０において、録画番組枠に最も近い時間帯であって「優先度低」と設定された時間帯の番組枠に録画番組情報を表示する
【０１３６】
本実施形態によれば、電子番組表において、ユーザが放送番組を視聴する可能性が高い時間帯には録画番組情報を表示することがないため、放送番組の番組情報の表示を妨げない。ユーザは、時間帯別の優先度を設定することにより、放送番組又は録画番組の何れを視聴するかを決めることができ、視聴スタイルを選択することができる。
【０１３７】
［７．第７実施形態］
第７実施形態は、ユーザ毎に優先度の設定を変える実施形態である。例えば、家族で視聴する場合には、電子番組表には、家族に見せたくない番組が放送される番組枠に、録画番組枠を表示し、一方で、個人で視聴する場合は、別の設定に応じて電子番組表を表示するといったことができる。
【０１３８】
本実施形態では、受信装置１０は、ユーザ毎にジャンル別優先度テーブル１４８を記憶する。またユーザは、所定の方法（例えば、ユーザを切り替える設定画面における操作）によって、使用するジャンル別優先度テーブル１４８を指定する。このようにすることで、ユーザによって、使用するジャンル別優先度テーブル１４８を切り替えることが可能である。
【０１３９】
例えば、家族で放送番組を視聴する際に、所定のジャンルの番組を家族では視聴することを望まない場合は、その所定のジャンルの優先度を「優先度低」としたジャンル別優先度テーブル１４８を使用することを指定すればよい。また、個人で視聴する場合は、その個人が使用するジャンル別優先度テーブル１４８を使用することを指定すればよい。
【０１４０】
また、電子番組表表示制御部１０４は、ユーザによって指定されたジャンル別優先度テーブル１４８に基づき、電子番組表を表示する。このようにすることで、ユーザに応じた電子番組表を表示することが可能である。
【０１４１】
本実施形態によれば、電子番組表を表示するユーザに応じて、適切に電子番組表に録画番組枠を表示させることが可能となる。また、録画番組も、ユーザに応じて視聴されることが可能となる。
【０１４２】
［８．第８実施形態］
第８実施形態は、チャンネル毎、時間帯毎に優先度を設定する実施形態である。時間帯別の優先度をチャンネル毎に設定することで、チャンネル毎に、放送番組を視聴する時間帯と、録画番組を表示する時間帯とを設定することができる。
【０１４３】
例えば、記憶部１４０に、チャンネルと、時間帯と、優先度とを記憶させるチャンネル別時間帯別優先度テーブルを記憶させたり、第３実施形態で説明した時間帯別優先度テーブルをチャンネル毎に記憶させたりすることで、チャンネルと時間帯とによって優先度を求められるようにする。また、録画番組枠決定処理においては、録画番組情報に記憶されたチャンネル番号に基づいて、対応した時間帯別優先度テーブルを参照し、そのチャンネルにおいて優先度の低い時間帯の番組枠を、録画番組枠として決定する。
【０１４４】
このようにすることで、チャンネル毎に、放送番組を視聴する時間帯と、録画番組を視聴する時間帯とが異なる電子番組表を表示することが可能になる。したがって、ユーザの視聴状況に応じた電子番組表を提示することが可能となる。
【０１４５】
［９．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１４６】
また、上述した実施形態は、説明した以外にも、矛盾のない範囲において適宜組み合わせて実行してもよいことは勿論である。例えば、第１実施形態と第４実施形態とを組み合わせてもよい。このようにすることで、シリーズものの未視聴の録画番組がある場合に、ユーザに対して、未視聴の録画番組の存在を気づかせることができつつ、放送番組の属性に応じて、録画番組情報の表示態様を変えて表示することができる。
【０１４７】
また、第１実施形態と、第２実施形態と、第３実施形態とが実行可能な受信装置において、未視聴の録画番組の番組情報を、ユーザの設定に基づいて電子番組表内に振り分けて表示させてもよい。例えば、シリーズものの録画番組情報は最新回の前の時間枠に表示させ、シリーズものではない録画番組情報は、優先度が低い時間帯に表示させるといったことができる。
【０１４８】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭ（Read Only Memory）やＨＤＤの記憶装置に格納され、必要に応じてＣＰＵによって読み出し、修正・書き込みが行なわれる。
【０１４９】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の
何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５０】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１５１】
１  受信システム
５  受信装置
１０  受信装置
１００  制御部
１０２  電子番組表生成部
１０４  電子番組表表示制御部
１０６  録画予約部
１１０  チューナ部
１２０  コンテンツ処理部
１２０２  再生制御部
１２０４  録画制御部
１２０６  ＴＳＤＥＭＵＸ部
１２０８  映像デコード部
１２１０  音声デコード部
１３０  通信部
１４０  記憶部
１４２  電子番組表記憶領域
１４４  録画番組記憶領域
１４４２  録画番組（コンテンツ）
１４４４  番組情報
１４４６  管理テーブル
１４８  ジャンル別優先度テーブル
１４９  時間帯別優先度テーブル
１５０  映像出力部
１６０  音声出力部
１７０  操作部
１５  テレビジョン装置
２０  放送局
【図１】
2019140467.tif 000003
【図２】
2019140467.tif 000004
【図３】
2019140467.tif 000005
【図４】
2019140467.tif 000006
【図５】
2019140467.tif 000007
【図６】
2019140467.tif 000008
【図７】
2019140467.tif 000009
【図８】
2019140467.tif 000010
【図９】
2019140467.tif 000011
【図１０】
2019140467.tif 000012
【図１１】
2019140467.tif 000013
【図１２】
2019140467.tif 000014
【図１３】
2019140467.tif 000015
【図１４】
2019140467.tif 000016
【図１５】
2019140467.tif 000017
【図１６】
2019140467.tif 000018
【図１７】
2019140467.tif 000019